(57)【特許請求の範囲】
【請求項１】
Ｌ字形スパイク本体の突片の先端部に耐摩耗性金属製チップを溶接してなる野球靴用スパイクであって、
前記チップが、焼入れ硬化された合金鋼の円柱体により円柱状チップに形成され、該円柱状チップが前記突片の端面に抵抗溶接により接合されていることを特徴とする野球靴用スパイク。
【請求項２】
前記円柱状チップの直径Ｄが、前記突片の厚みＴより大きいことを特徴とする請求項１記載の野球靴用スパイク。
【請求項３】
前記突片の端面が平坦面であり、該端面に前記円柱状チップの外周面が線接触した状態で抵抗溶接され、プロジェクション溶接と同様の部分加熱による溶接効果で前記円柱状チップが、焼入れ硬化性を失なうことなく前記突片の先端部に接合されていることを特徴とする請求項１又は２記載の野球靴用スパイク。
【請求項４】
前記突片の端面に少なくとも２つの低い山形傾斜面が長手方向に並列して設けられていて、該山形傾斜面の稜線部分に前記円柱状チップの外周面が点接触した状態で抵抗溶接され、プロジェクション溶接と同様の部分加熱による溶接効果で前記円柱状チップが、焼入れ硬化性を失なうことなく前記突片の先端部に接合されていることを特徴とする請求項１又は２記載の野球靴用スパイク。
【請求項５】
請求項１ないし４のいずれかに記載の前記Ｌ字形スパイク本体の前記突片の端面に前記円柱状チップを抵抗溶接するのに使用される溶接装置であって、前記溶接装置の上側電極の加圧面に、前記円柱状チップの外周面に合致する断面円弧状の凹部が設けられていることを特徴とする溶接装置。
【発明の詳細な説明】
【技術分野】
【０００１】
本発明は、野球靴の靴底に装着される野球靴用スパイクに関するものである。
【背景技術】
【０００２】
野球靴用スパイクは、使用による摩耗が激しく、しばしば取り替えなければスパイクとしての機能を充分に発揮できない。
【０００３】
このような問題を解決する技術として、Ｌ字形スパイク本体の突片の端面に耐摩耗性金属製チップ（超硬合金製チップ）を抵抗溶接した野球靴用スパイクは知られている（特許文献１参照）。
【０００４】
上記特許文献１（特許第２９９１９６１号公報）に開示されている耐摩耗性金属製チップは、接合部が楔形に形成されていて、上下方向の形状が異なり、切削加工しても、超硬合金のように粉末成形しても、その製造加工は容易では無く、製造コストが高くなる。加えて、このように方向性を有する金属製チップをＬ字形スパイク本体の突片の端面に溶接するため、所定位置に自動給送する場合、前記端面に対する位置決めが困難である。
【発明の概要】
【発明が解決しようとする課題】
【０００５】
本発明は、上記した従来技術の問題点を解決するもので、耐摩耗性金属製チップとして、焼入れ硬化された合金鋼の円柱体により形成した円柱状チップを採用することで、ねじ部品と同様のコイル線材を素材として、安価に量産可能とし、かつ、Ｌ字形スパイク本体の突片の端面に前記円柱状チップを抵抗溶接するための自動給送が容易に行なえる野球靴用スパイクを提供することを技術的課題としている。
【０００６】
また、本発明は、上記構成の円柱状チップを前記Ｌ字形スパイク本体の突片の端面に容易に、かつ効率良く抵抗溶接できる溶接装置を提供することを課題としている。
【課題を解決するための手段】
【０００７】
上記課題を解決するために、本発明は、次のような技術的手段を有している。
【０００８】
請求項１に係る発明は、Ｌ字形スパイク本体の突片の先端部に耐摩耗性金属製チップを溶接してなる野球靴用スパイクであって、前記チップが、焼入れ硬化された合金鋼の円柱体により円柱状チップに形成され、該円柱状チップが前記突片の端面に抵抗溶接により接合されていることを特徴とする。
【０００９】
請求項２に係る発明は、前記円柱状チップの直径Ｄが、前記突片の厚みＴより大いことで、溶接後に耐摩耗性の高い前記円柱状チップにより前記突片の端面近傍が保護され、スパイク本体の耐久性がより向上される。
【００１０】
請求項３に係る発明は、前記突片の端面が平坦面であり、該端面に前記円柱状チップの外周面が線接触した状態で抵抗溶接され、プロジェクション溶接と同様の部分加熱による溶接効果で前記円柱状チップが、焼入れ硬化性を失なうことなく前記突片の先端部に接合されていることを特徴とする。
【００１１】
請求項４に係る発明は、前記突片の端面に少なくとも２つの低い山形傾斜面が長手方向に並列して設けられていて、該山形傾斜面の稜線部分に前記円柱状チップの外周面が点接触した状態で抵抗溶接され、プロジェクション溶接と同様の部分加熱による溶接効果で前記円柱状チップが、焼入れ硬化性を失なうことなく前記突片の先端部に接合されていることを特徴とする。
【００１２】
請求項５に係る発明は、請求項１ないし４のいずれかに記載の前記Ｌ字形スパイク本体の前記突片の端面に前記円柱状チップを抵抗溶接するのに使用される溶接装置であって、前記溶接装置の上側電極の加圧面に、前記円柱状チップの外周面に合致する断面円弧状の凹部が設けられていることを特徴とする。このような溶接装置を用いると、前記円柱状チップを前記突片の端面に容易に、かつ効率良く抵抗溶接できる。
【発明の効果】
【００１３】
以上説明したように、本発明は、Ｌ字形スパイク本体の突片の先端部に抵抗溶接する耐摩耗性金属製チップとして、焼入れ硬化された合金鋼の円柱体により形成した円柱状チップを採用したから、ねじ部品と同様のコイル線材を素材として、安価に量産することが可能である。しかも、前記円柱状チップは上下方向、左右方向の方向性が無いので、前記Ｌ字形スパイク本体の突片の端面に抵抗溶接するための自動給送が容易に可能である。
【００１４】
さらに、前記突片の端面に前記円柱状チップの外周面が線接触又は点接触した状態で抵抗溶接されることで、プロジェクション溶接と同様の部分加熱による溶接効果が得られ、前記円柱状チップは焼入れ硬化性を失うことがなく前記突片の先端部に接合されるので、すぐれた耐摩耗性を有する野球靴用スパイクを提供することができる。
【００１５】
また、請求項５に係る溶接装置を用いると、前記円柱状チップを前記突片の端面に容易に位置決めして、効率良く抵抗溶接できる。
【図面の簡単な説明】
【００１６】
【図１】本発明に係る野球靴用スパイクを構成するＬ字形スパイク本体と円柱状チップの接合前の位置関係を示す正面図である。
【図２】同上側面図である。
【図３】本発明に係る野球靴用スパイクの側面図である。
【図４】本発明に係る野球靴用スパイクの斜視図である。
【図５】同上野球靴用スパイクの突片と円柱状チップの接合部を示す拡大断面図である。
【図６】本発明に係る野球靴用スパイクの別の実施形態におけるＬ字形スパイク本体と円柱状チップの接合前の位置関係を示す正面図である。
【図７】Ｌ字形スパイク本体の突片の端面に円柱状チップを抵抗溶接するための溶接装置の要部を示す正面図である。
【図８】同上溶接装置の要部を示す側面図である。
【発明を実施するための形態】
【００１７】
以下、本発明の実施の形態を図面に基づいて説明する。
【００１８】
図１及び図２は、本発明に係る野球靴用スパイク１０を構成するＬ字形スパイク本体１と円柱状チップ７の接合前の位置関係を示している。スパイク本体１は、抵抗溶接が可能な高炭素鋼の板材を打抜きＬ字形に曲げ加工してつくられ、取付孔３を設けた取付座板２と、該取付座板２に対してほぼ直角に立ち上がる突片４とからなり、取付座板２と突片４との折り曲げ部分に補強リブ５が設けられている。突片４の端面６は平坦面に形成されている。
【００１９】
円柱状チップ７は、焼入れ硬化された合金鋼の円柱体により形成され、合金鋼の具体的な鋼種としては、耐摩耗性のすぐれたＳＵＳ４１０−４４０Ｃ等が好適である。該円柱状チップ７は、ねじ部品と同様にコイル線材を素材とし、ねじ成形用ヘッダを用いて、安価に量産可能である。円柱状チップ７の直径Ｄは、突片４の厚みＴより若干大きく設計されている。このように円柱状チップ７の直径Ｄを突片４の厚みＴより大きくすることで、溶接後に耐摩耗性の高い円柱状チップ７により突片４の先端部が保護され、スパイク本体１の耐久性をより向上させることが可能である。
【００２０】
本発明に係る野球靴用スパイク１０は、図３及び図４に示すように、円柱状チップ７がスパイク本体１の突片４の端面６に抵抗溶接により接合されたものである。
【００２１】
図７及び図８は、スパイク本体１の突片４の端面６に円柱状チップ７を抵抗溶接するのに使用される溶接装置２０の概略要部を示している、該溶接装置２０は、支持体２１に固定保持された下側電極２２と、該下側電極２２に相対向して設けられ上下動可能な上側電極２３とを備えている。支持体２１の上面にはスパイク本体１の位置決めストッパ２４が固定され、該ストッパ２４と協働するクランプ２５が設けられていて、図８に示すように、案内レール２６に沿って供給されるスパイク本体１が、図７に示すように、下側電極２２の上面に位置決めされ、突片４が下側電極２２の中心部位に同軸上に位置して支持固定される。
【００２２】
一方、上側電極２３の加圧面２７には円柱状チップ７の外周面に合致する断面半円形の円弧状凹部２８が設けられている。円柱状チップ７は、図８に示すように、案内レール２９に沿って上側電極２３の加圧面２７の下方に供給され、凹部２８に係合して位置決め保持されると、該円柱状チップ７の外周面が、突片４の端面６に線接触した状態になるように配置構成されている。このような線接触状態で上側電極２３の加圧面２７により円柱状チップ７を加圧して通電することで、円柱状チップ７が突片４の端面６に抵抗溶接により接合されるが、このとき、円柱状チップ７が端面６に線接触することで、プロジェクション溶接と同様の部分加熱による溶接効果が得られ、図５に示すように、端面６に接触する円柱状チップ７の下側部分８が溶接の加熱により若干硬度が低下するだけで、円柱状チップ７自体はほとんど硬化性を失なうことなく突片４の先端部に接合される。また、この接合時に突片４の端面６近傍が溶融して形成される溶接肉９によって円柱状チップ７の下側部を挟持するように接合され、図３及び図４に示す野球靴用スパイク１０が完成する。
【００２３】
図６は、本発明の別の実施形態におけるＬ字形スパイク本体１と円柱状チップ７の接合前の位置関係を示している。この実施形態では、突片４の端面６に２つの低い山形傾斜面１２，１２が長手方向に並列して設けられていて、両山形傾斜面１２，１２の稜線部分１３，１３に円柱状チップ７の外周面が点接触した状態で抵抗溶接され、図１に示した線接触による実施形態と同様に、プロジェクション溶接と同様の部分加熱による溶接効果で円柱状チップ７が、焼入れ硬化性を失なうことなく突片４の先端部に接合されるが、点接触とすることで、電気抵抗が局部的に高くなり、抵抗溶接時の電極に通電する電気容量を小さくできる。
【符号の説明】
【００２４】
１  Ｌ字形スパイク本体
２  取付座板
３  取付孔
４  突片
５  補強リブ
６  端面
７  円柱状チップ
８  下側部分
９  溶接肉
１０  野球靴用スパイク
１２  山形傾斜面
１３  稜線部分
２０  溶接装置
２１  支持体
２２  下側電極
２３  上側電極
２４  ストッパ
２５  クランプ
２６  案内レール
２７  加圧面
２８  凹部
２９  案内レール
【先行技術文献】
【特許文献】
【００２５】
【特許文献１】特許第２９９１９６１号公報
【図１】
0005589013.tif 000002
【図２】
0005589013.tif 000003
【図３】
0005589013.tif 000004
【図４】
0005589013.tif 000005
【図５】
0005589013.tif 000006
【図６】
0005589013.tif 000007
【図７】
0005589013.tif 000008
【図８】
0005589013.tif 000009